(57)【特許請求の範囲】
【請求項１】
厚み方向に導電性を有し、縦幅方向および横幅方向に導電性を有しない導電異方性の電極と、前記導電異方性の電極に所定の間隔を有して対向することにより前記導電異方性の電極との間に所定の空間を形成した対向電極と、前記空間内に封入され、分散媒に複数の電気泳動粒子を分散させた分散系とを備え、  前記導電異方性および対向電極間に印加された画像信号に応じた電界によって画像を表示し、かつ、前記電界の消去後も前記画像を保持するように構成され、
前記対向電極は、厚み方向に導電性を有し、縦幅方向および横幅方向に導電性を有しない導電異方性の電極であることを特徴とする電気泳動記録体。
【請求項２】
厚み方向に導電性を有し、縦幅方向および横幅方向に導電性を有しない導電異方性の電極と、前記導電異方性の電極に所定の間隔を有して対向することにより前記導電異方性の電極との間に所定の空間を形成した対向電極と、前記空間内に封入され、分散媒に複数の電気泳動粒子を分散させた分散系とを備え、前記導電異方性および対向電極間に印加された画像信号に応じた電界によって画像を表示し、かつ、前記電界の消去後も前記画像を保持するように構成され、
前記導電異方性の電極は、透明樹脂に複数の導電性透明粒子を分散して構成された透明電極であり、前記透明樹脂と前記複数の導電性透明粒子との屈折率を略同等としたことを特徴とする電気泳動記録体。
【請求項３】
厚み方向に導電性を有し、縦幅方向および横幅方向に導電性を有しない導電異方性の電極と、前記導電異方性の電極に所定の間隔を有して対向することにより前記導電異方性の電極との間に所定の空間を形成した対向電極と、前記空間内に封入され、分散媒に複数の電気泳動粒子を分散させた分散系とを備え、  前記導電異方性および対向電極間に印加された画像信号に応じた電界によって画像を表示し、かつ、前記電界の消去後も前記画像を保持するように構成された電気泳動記録体と、
前記電気泳動記録体と着脱可能に一体化され、前記電気泳動記録体の装着時に前記導電異方性の電極に当接する駆動電極と、前記駆動電極を介して前記導電異方性の電極と前記対向電極との間に前記画像信号に応じた前記電界を印加する印加手段とを備えた駆動装置とを具備し、
前記対向電極は、厚み方向に導電性を有し、縦幅方向および横幅方向に導電性を有しない導電異方性の電極であり、
前記駆動装置は、前記電気泳動記録体の装着時に前記対向電極に当接する他の駆動電極を備え、
前記印加手段は、前記他の駆動電極を介して前記対向電極に前記電界を印加する構成を有してなることを特徴とする電気泳動表示装置。
【請求項４】
前記駆動電極および前記他の駆動電極は、面状電極とマトリックス状の電極群との組合せ、または複数の縦方向あるいは横方向の線状電極と複数の横方向あるいは縦方向の線状電極との組合せから構成された請求項３記載の電気泳動表示装置。
【請求項５】
前記導電異方性の電極と駆動電極、および前記対向電極と他の駆動電極は、少なくとも一方が透明電極である請求項３記載の電気泳動表示装置。
【請求項６】
厚み方向に導電性を有し、縦幅方向および横幅方向に導電性を有しない導電異方性の電極と、前記導電異方性の電極に所定の間隔を有して対向することにより前記導電異方性の電極との間に所定の空間を形成した対向電極と、前記空間内に封入され、分散媒に複数の電気泳動粒子を分散させた分散系とを備え、  前記導電異方性および対向電極間に印加された画像信号に応じた電界によって画像を表示し、かつ、前記電界の消去後も前記画像を保持するように構成された電気泳動記録体と、
前記電気泳動記録体と着脱可能に一体化され、前記電気泳動記録体の装着時に前記導電異方性の電極に当接する駆動電極と、前記駆動電極を介して前記導電異方性の電極と前記対向電極との間に前記画像信号に応じた前記電界を印加する印加手段とを備えた駆動装置とを具備し、
前記導電異方性の電極は、透明樹脂に複数の導電性透明粒子を分散して構成された透明電極であり、前記透明樹脂と前記複数の導電性透明粒子との屈折率を略同等としたことを特徴とする電気泳動表示装置。
【請求項７】
樹脂部材に複数の導電性粒子が分散され、かつ、厚み方向に導電性を有し、縦幅方向および横幅方向に導電性を有しない導電異方性の電極と、前記導電異方性の電極に所定の間隔を有して対向することにより前記導電異方性の電極との間に所定の空間を形成した対向電極と、前記空間内に封入され、分散媒に複数の電気泳動粒子を分散させた分散系とを備え、前記導電異方性および対向電極間に印加された画像信号に応じた電界によって画像を表示し、かつ、前記電界の消去後も前記画像を保持するように構成された電気泳動記録体と、
前記電気泳動記録体と着脱可能に一体化され、前記電気泳動記録体の装着時に前記導電異方性の電極に当接する複数の駆動電極と、前記駆動電極を介して前記導電異方性の電極と前記対向電極との間に前記画像信号に応じた前記電界を印加する印加手段とを備えた駆動装置とを具備し、
それぞれの前記駆動電極に対して、前記複数の導電性粒子が２以上ずつ当接するように構成されてなることを特徴とする電気泳動表示装置。
【発明の詳細な説明】
【０００１】
【発明の属する技術分野】
本発明は、電気泳動現象を利用した電気泳動記録体および電気泳動表示装置に関し、特に、電気泳動記録体および駆動装置を互いに分離可能に構成した電気泳動記録体および電気泳動表示装置に関する。
【０００２】
【従来の技術】
「電気泳動現象」は、一般に固体（電気泳動粒子）と液体（分散媒）の界面に発生する電気二重層を利用したものであって、粒子と分散媒のそれぞれの材料の組合せと、界面に発生する電荷を制御するために分散媒に添加される界面活性剤との作用によって、粒子の表面に電荷を形成し、その表面の電荷が電界によって受ける力を駆動力として粒子が所望の方向に所望の速度で泳動する現象である。
【０００３】
このような電気泳動現象を利用した表示方式は、構成の簡便さ、表示色の選択範囲の広さ、高コントラスト、広視野角、低電圧駆動、低消費電力、および画像のメモリ性を同時に備えるため、ＣＲＴディスプレイやＬＣＤでは達成困難な種々の機能が得られるという特長を持っている。例えば、変化の頻繁な画像を鮮明に表示でき、画像のメモリ性により、一切のエネルギを供給することなく静止画像を表示し続けることができる。
【０００４】
従来の電気泳動表示装置は、駆動方式により、分散系に接する一対の電極から分散系に直接画像信号を印加する方式（直接印加方式）のもの（例えば、特開平６−１４８６９３号公報等）と、絶縁板と電極との間に分散系を配置し、絶縁板の外側の表面にイオン流照射手段によりイオン流を照射して絶縁板の外部から分散系に画像信号を間接的に印加する方式（間接印加方式）のもの（例えば、特開昭６１−８６７８０号公報，特開平６−２０２１６８号公報等）とに大別される。
【０００５】
上記直接印加方式を採用した従来の電気泳動表示装置は、電極が分散系に接しているために最小の印加電圧で分解能の高い画像の生成が可能であり、さらにマトリックス状の二次元駆動が容易なために高速書込みに向いている。
【０００６】
また、上記間接印加方式を採用した従来の電気泳動表示装置は、分散系を備える電気泳動記録体がイオン流照射手段と分離しているため、電気泳動記録体に電極群を備える必要がなく、電気泳動記録体は簡素かつ廉価となる。従って、複数の画面を同時に見たい場合には、同一のイオン流照射手段を用いながら電気泳動記録体だけを交換することによって複数の画面を次々に生成することを容易、かつ安価に行うことができるという特長がある。
【０００７】
【発明が解決しようとする課題】
しかし、上記直接印加方式を採用した従来の電気泳動表示装置によると、マトリックス状の電極群と電気泳動記録体とが一体となっているため、一般的なディスプレイ、例えば、ねじれネマティック型液晶ディスプレイと大差がなく、例えば、複数の画面を同時に見たい場合は、表示可能な画素数の範囲内で複数の画面をそれぞれ部分的に表示するか、複数の表示装置を備える必要がある等の不便さがあった。これは、メモリ性の活用法として、画像の変化部分のみ書き替えて画面のチラツキを抑える、消費電力を抑える等の駆動上のメリットに使う他は書き込んだ画像をその状態で任意の時間保持することに限られ、この間は比較的高価な部分である駆動装置も停止せざるを得ない状況であった。
【０００８】
また、上記間接印加方式を採用した従来の電気泳動表示装置によると、イオン流照射手段を構成するイオン源及びイオン流制御ブレードを高速書込みに必要なマトリックス状の二次元配置とすることが困難であるとともに、照射イオンの極性を瞬時に反転させることも容易ではなく、高速駆動には不向きである。また、分散系の駆動に対して絶縁板を介して信号が印加されるため、解像度の劣化を招き易いという問題もある。
【０００９】
従って、本発明の目的は、分解能の高い画像を高速に形成でき、しかも構成が簡素かつ低価格で複数の静止画像を比較することのできる電気泳動記録体および電気泳動表示装置を提供することにある。
【００１０】
【課題を解決するための手段】
本発明は、上記目的を達成するため、厚み方向に導電性を有し、縦幅方向および横幅方向に導電性を有しない導電異方性の電極と、前記導電異方性の電極に所定の間隔を有して対向することにより前記導電異方性の電極との間に所定の空間を形成した対向電極と、前記空間内に封入され、分散媒に複数の電気泳動粒子を分散させた分散系とを備え、前記導電異方性および対向電極間に印加された画像信号に応じた電界によって画像を表示し、かつ、前記電界の消去後も前記画像を保持するように構成され、前記対向電極は、厚み方向に導電性を有し、縦幅方向および横幅方向に導電性を有しない導電異方性の電極であることを特徴とする電気泳動記録体を提供する。
更に本発明は、上記目的を達成するため、厚み方向に導電性を有し、縦幅方向および横幅方向に導電性を有しない導電異方性の電極と、前記導電異方性の電極に所定の間隔を有して対向することにより前記導電異方性の電極との間に所定の空間を形成した対向電極と、前記空間内に封入され、分散媒に複数の電気泳動粒子を分散させた分散系とを備え、前記導電異方性および対向電極間に印加された画像信号に応じた電界によって画像を表示し、かつ、前記電界の消去後も前記画像を保持するように構成され、前記導電異方性の電極は、透明樹脂に複数の導電性透明粒子を分散して構成された透明電極であり、前記透明樹脂と前記複数の導電性透明粒子との屈折率を略同等としたことを特徴とする電気泳動記録体を提供する。
上記構成によれば、導電異方性の電極と対向電極との間に画像信号に応じた電界を印加すると、電気泳動粒子が持つ電荷の極性と印加した電界の極性とによって電気泳動粒子が分散媒を泳動し、導電異方性の電極あるいは対向電極に集まる。電気泳動粒子に分散媒と異なる色を用いることで、画像が可視表示される。記録体の対向電極を全面電極あるいは基板の機能をも備えた導電異方性の電極とすることにより、記録体の構成が簡素で低価格となり、複数の静止画像を生成する上でより簡素で低価格なものとなる。導電異方性および対向電極が分散系に接しているため、最小の印加電圧で分解能の高い画像の生成が可能となる。
【００１１】
本発明は、上記目的を達成するため、厚み方向に導電性を有し、縦幅方向および横幅方向に導電性を有しない導電異方性の電極と、前記導電異方性の電極に所定の間隔を有して対向することにより前記導電異方性の電極との間に所定の空間を形成した対向電極と、前記空間内に封入され、分散媒に複数の電気泳動粒子を分散させた分散系とを備え、前記導電異方性および対向電極間に印加された画像信号に応じた電界によって画像を表示し、かつ、前記電界の消去後も前記画像を保持するように構成された電気泳動記録体と、前記電気泳動記録体と着脱可能に一体化され、前記電気泳動記録体の装着時に前記導電異方性の電極に当接する駆動電極と、前記駆動電極を介して前記導電異方性の電極と前記対向電極との間に前記画像信号に応じた前記電界を印加する印加手段とを備えた駆動装置とを具備し、前記対向電極は、厚み方向に導電性を有し、縦幅方向および横幅方向に導電性を有しない導電異方性の電極であり、前記駆動装置は、前記電気泳動記録体の装着時に前記対向電極に当接する他の駆動電極を備え、前記印加手段は、前記他の駆動電極を介して前記対向電極に前記電界を印加する構成を有してなることを特徴とする電気泳動表示装置を提供する。
更に本発明は、上記目的を達成するため、厚み方向に導電性を有し、縦幅方向および横幅方向に導電性を有しない導電異方性の電極と、前記導電異方性の電極に所定の間隔を有して対向することにより前記導電異方性の電極との間に所定の空間を形成した対向電極と、前記空間内に封入され、分散媒に複数の電気泳動粒子を分散させた分散系とを備え、前記導電異方性および対向電極間に印加された画像信号に応じた電界によって画像を表示し、かつ、前記電界の消去後も前記画像を保持するように構成された電気泳動記録体と、前記電気泳動記録体と着脱可能に一体化され、前記電気泳動記録体の装着時に前記導電異方性の電極に当接する駆動電極と、前記駆動電極を介して前記導電異方性の電極と前記対向電極との間に前記画像信号に応じた前記電界を印加する印加手段とを備えた駆動装置とを具備し、前記導電異方性の電極は、透明樹脂に複数の導電性透明粒子を分散して構成された透明電極であり、前記透明樹脂と前記複数の導電性透明粒子との屈折率を略同等としたことを特徴とする電気泳動表示装置を提供する。
更に本発明は、上記目的を達成するため、樹脂部材に複数の導電性粒子が分散され、かつ、厚み方向に導電性を有し、縦幅方向および横幅方向に導電性を有しない導電異方性の電極と、前記導電異方性の電極に所定の間隔を有して対向することにより前記導電異方性の電極との間に所定の空間を形成した対向電極と、前記空間内に封入され、分散媒に複数の電気泳動粒子を分散させた分散系とを備え、前記導電異方性および対向電極間に印加された画像信号に応じた電界によって画像を表示し、かつ、前記電界の消去後も前記画像を保持するように構成された電気泳動記録体と、前記電気泳動記録体と着脱可能に一体化され、前記電気泳動記録体の装着時に前記導電異方性の電極に当接する複数の駆動電極と、前記駆動電極を介して前記導電異方性の電極と前記対向電極との間に前記画像信号に応じた前記電界を印加する印加手段とを備えた駆動装置とを具備し、それぞれの前記駆動電極に対して、前記複数の導電性粒子が２以上ずつ当接するように構成されてなることを特徴とする電気泳動表示装置を提供する。
上記構成によれば、電気泳動記録体の導電異方性の電極が駆動装置の駆動電極に当接するように、電気泳動記録体を駆動装置に装着すると、導電異方性の電極と駆動電極とが導通状態となる。この状態で、印加手段が、駆動電極を介して導電異方性の電極と対向電極との間に画像信号に応じた電界を印加すると、電気泳動粒子が持つ電荷の極性と印加した電界の極性とによって電気泳動粒子が分散媒を泳動し、導電異方性の電極あるいは対向電極に集まる。
また、分散系に印加する電界を消去した後も画像を表示し続けることができるため、複数の静止画像を比較する場合は、同一の駆動装置を用いて電気泳動記録体だけを交換して複数の静止画像を次々と生成する。
電気泳動記録体を駆動装置から分離可能とすることにより、記録体を含む表示装置を複数用いなくても、１つの駆動装置と複数の記録体とからなる簡易かつ低価格な構成で、比較対象の複数の静止画像を生成することができる。
分散系に電界を印加する電極の組合せを面状電極とマトリックス状の電極群との組合せ、または複数の縦方向あるいは横方向の線状電極と複数の横方向あるいは縦方向の線状電極との組合せとすることにより、マトリックス状の二次元駆動を行うことができ、記録体に高速で画像を書き込むことが可能となる。
このように本発明は、従来の直接印加方式が持つ高分解能性，高速性、従来の間接印加方式が持つ記録体の簡便性，一覧性といった特長を両立させつつ、それぞれの欠点の解決を図ったものである。
【００１２】
【発明の実施の形態】
以下、本発明の実施の形態を図面を参照して詳細に説明する。
図１は本発明の第１の実施の形態に係る電気泳動記録体の構成を示す断面図である。
【００１３】
この電気泳動記録体（以下「記録体」と略す。）１Ａは、スペーサ１０を介して保持された表示側基板１１及び導電異方性の電極としての非表示側基板１２と、表示側基板１１の内側の面１１ａに形成された対向電極としての面状電極１３と、両基板１１，１２間に封入された分散媒１４及び複数の電気泳動粒子１５からなる分散系１６と、面状電極１３に接続されたコネクタ１７とを具備している。
【００１４】
スペーサ１０は、例えば、ポリエステルフィルム等からなり、基板１１，１２の端部及び適宜分散系１６中に配置されている。
【００１５】
表示側基板１１は、例えば、透明なガラス，プラスチック等からなる。
【００１６】
図２は非表示側基板１２の要部正面図である。
非表示側基板１２は、フィルム１２ａに図２に示すように複数の導電性粒子１２ｂを分散させたものである。導電性粒子１２ｂの存在する部分は、その導通効果によって基板１２の厚さ方向に導電性を有し、縦幅方向および横幅方向に導電性を有しない導電異方性を備えている。また、非表示側基板１２は、非表示側にあるので、フィルム１２ａには、各種の樹脂を用いることができ、導電性粒子１２ｂには、ニッケル粒子、炭素粒子、表面を導電処理されたガラス，プラスチック等の各種の粒子を用いることができる。
【００１７】
面状電極１３は、イリジウム錫酸化物（ＩＴＯ）等の光透過性導電性の薄膜から構成されている。
【００１８】
分散媒１４は、例えば、イソパラフィン系炭化水素，ヘキシルベンゼン，テトラフルオロジブロモエタン，パーフルオロポリエーテル，トルエントリフルオライド等の絶縁性有機溶媒に青色染料とイオン性界面活性剤を混合したものが用いられる。
【００１９】
電気泳動粒子１５は、透明ワックスに白色顔料（例えば、ＴｉＯ2 ）を分散させたものであり、例えば直径数μｍのものが用いられる。
【００２０】
図３は図１に示す記録体１Ａが適用された本発明の第１の実施の形態に係る電気泳動表示装置の構成を示す断面図である。
この電気泳動表示装置（以下「表示装置」と略す。）１００Ａは、互いに分離可能に構成された図１に示す記録体１Ａ、および記録体１Ａを駆動して電気泳動現象に基づく表示を行う駆動装置２Ａとから構成されている。
【００２１】
駆動装置２Ａは、非表示側基板２０と、非表示側基板２０の表面２０ａに形成され、記録体１Ａの装着時に記録体１Ａの非表示側基板１２に当接する駆動電極としてのマトリックス状の電極群２１と、アース接地された、記録体１Ａのコネクタ１７に接続されるコネクタ２２と、電極群２１と記録体１Ａの面状電極１３との間に直流電圧を印加する電源回路２３とを具備している。
【００２２】
電極群２１は、絶縁領域２１ａを介してマトリックス状に形成され、薄膜トランジスタによって駆動されるようになっている。
【００２３】
電源回路２３は、入力される画像信号Ｓに応じて電極群２１にリード２３ａを介して直流電圧（電界）を印加するようになっている。
【００２４】
次に、本表示装置１００Ａの動作を図４及び図５を参照して説明する。
図４及び図５は本表示装置１００Ａによる記録体１Ａの表示状態を示す断面図である。なお、電気泳動粒子１５は、負に帯電し、図１に示すように分散媒１４中に浮遊しているとする。
【００２５】
オペレータは、図１に示す記録体１Ａを図３に示すように駆動装置２Ａに装着する。すなわち、記録体１Ａの非表示側基板１２を駆動装置２Ａの電極群２１に当接させ、記録体１Ａのコネクタ１７と駆動装置２のコネクタ２２とを接続する。非表示側基板１２を電極群２１に当接することにより、非表示側基板１２と電極群２１とは、非表示側基板１２が有する導電異方性によって導通状態となる。
【００２６】
この状態で、電源回路２３は、外部から画像信号Ｓが入力されると、その画像信号Ｓに応じて電極群２１にリード２３ａを介して極性が正あるいは負の直流電圧（電界）を印加する。すると、図４に示すように、負の直流電圧が印加された電極群２１と面状電極１３との間に位置する電気泳動粒子１５は、分散媒１４を泳動して面状電極１３に集まり、正の直流電圧が印加された電極群２１と面状電極１３との間に位置する電気泳動粒子１５は、分散媒１４を泳動して電極群２１に集まる。
【００２７】
表示側基板１１の外側からは、面状電極１３側に電気泳動粒子１５が集まった領域（画素）で、電気泳動粒子１５の色（この実施の形態では白色）が見え、電気泳動粒子１５が集まっていない領域（画素）で、分散媒１４の色（この実施の形態では青色）が見える。これにより、表示側基板１１側に白色と青色の２色からなる画像が可視表示される。また、画像のメモリ性よりコネクタ１７，２２を外しても、図５に示すように、無電源で長時間表示側基板１１側に静止画像を表示し続けることができるので、複数の静止画像を比較する場合は、同一の駆動装置２Ａを用いて記録体１Ａだけを交換して複数の静止画像を次々と生成する。
【００２８】
上記構成の表示装置１００Ａによれば、記録体１Ａに画像情報を書き込む際、電極群２１が形成された駆動装置２Ａの非表示側基板２０に記録体１Ａを接触配置させ、コネクタ１７，２２を接続するだけの操作により、画像信号に応じたパターン状の電界を記録体１Ａに印加することができる。
また、分散系１６に印加する電界を消去した後も画像を表示し続けることができるため、記録体１Ａを駆動装置２Ａから分離可能とすることにより、記録体を含む表示装置を複数用いなくても、１つの駆動装置２Ａと複数の記録体１Ａとからなる簡易かつ低価格な構成で、比較対象の複数の静止画像を生成することができる。
また、記録体１Ａにマトリックス状の電極群や複数の縦方向あるいは横方向の線状電極を備えていないため、記録体１Ａの構成が簡素で低価格となり、複数の静止画像を生成する上でより簡素で低価格なものとなる。
また、非表示側基板１２および面状電極１３が分散系１６に接しているため、電極群２１と接した導電性粒子１２ｂによって記録電圧は電極群２１の解像度を維持しつつ分散媒１４との界面に直接伝達されるため、最小の印加電圧で分解能の高い画像の生成が可能となる。
また、分散系１６に電界を印加する電極の組合せを面状電極１３とマトリックス状の電極群２１との組合せとしているので、マトリックス状の二次元駆動を行うことができ、記録体１Ａに高速で画像を書き込むことが可能となる。
【００２９】
図６は本発明の第２の実施の形態に係る電気泳動記録体の構成を示す断面図である。なお、図１に示す記録体１Ａと同一の機能を有するものは、同一の符号を用いてその説明を省略する。
この記録体１Ｂは、スペーサ１０を介して保持された対向電極としての表示側基板１８及び導電異方性の電極としての非表示側基板１２と、両基板１８，１２間に封入された分散媒１４及び複数の電気泳動粒子１５からなる分散系１６とを具備している。
【００３０】
表示側基板１８は、非表示側基板１２と同様にフィルム１８ａに複数の導電性粒子１８ｂを分散させたものである。導電性粒子１８ｂの存在する部分は、その導通効果によって基板１８の厚さ方向に電気的に通じるという導電異方性を有している。また、表示側基板１８は、表示側にあるので、フィルム１８ａには、透明の樹脂が用いられ、導電性粒子１８ｂには、透明のガラス，プラスチック等の粒子の表面に酸化インジウム等の透明導電膜を形成したものが用いられる。この場合、透明のフィルム１８ａおよび透明の導電性粒子１８ｂの屈折率は、画像のゆがみ防止のため略同等であることが好ましい。
【００３１】
図７は図６に示す記録体１Ｂが適用された本発明の第２の実施の形態に係る電気泳動表示装置の構成を示す断面図である。図３に示す表示装置１００Ａと同一の機能を有するものは、同一の符号を用いてその説明を省略する。
この表示装置１００Ｂは、互いに分離可能に構成された図６に示す記録体１Ｂ、および記録体１Ｂを駆動して電気泳動現象に基づく表示を行う駆動装置２Ｂとから構成されている。
【００３２】
駆動装置２Ｂは、一対の表示側基板２４および非表示側基板２０と、一対の表示側基板２４および非表示側基板２０の対向する面２４ａ，２０ａにそれぞれ形成され、記録体１Ｂの装着時に記録体１Ｂの表示側基板１８および非表示側基板１２に当接する駆動電極としての複数の縦方向線状電極２５および複数の横方向線状電極２６と、両電極２５，２６間に画像信号に応じて直流電圧を印加する電源回路２７とを具備している。
【００３３】
表示側の複数の縦方向線状電極２５は、絶縁領域（図示省略）を介して形成され、イリジウム錫酸化物（ＩＴＯ）等の光透過性導電性の薄膜からなり、薄膜トランジスタによって駆動されるようになっている。
【００３４】
非表示側の複数の横方向線状電極２６は、絶縁領域２６ａを介して形成され、薄膜トランジスタによって駆動されるようになっている。
【００３５】
電源回路２７は、入力される画像信号Ｓに応じて電極２５，２６にリード２７ａ，２７ｂを介して直流電圧（電界）を印加するようになっている。
【００３６】
次に、本表示装置１００Ｂの動作を図８及び図９を参照して説明する。
図８及び図９は本表示装置１００Ｂによる記録体１Ｂの表示状態を示す断面図である。なお、電気泳動粒子１５は負に帯電し、図６に示すように分散媒１４中に浮遊しているとする。
【００３７】
オペレータは、図６に示す記録体１Ｂを図７に示すように駆動装置２Ｂに装着する。すなわち、記録体１Ｂの表示側基板１８および非表示側基板１２を駆動装置２Ｂの複数の縦方向線状電極２５および複数の横方向線状電極２６にそれぞれ当接させる。これにより、表示側基板１８と複数の縦方向線状電極２５、非表示側基板１２と複数の横方向線状電極２６とは、表示側基板１８および非表示側基板１２が有する導電異方性によって導通状態となる。
【００３８】
この状態で、電源回路２７は、外部から画像信号Ｓが入力されると、その画像信号Ｓに応じて縦方向線状電極２５および横方向線状電極２６にリード２７ａ，２７ｂを介して極性が正あるいは負の直流電圧（電界）を印加する。すると、図８に示すように、縦方向線状電極２５に正、横方向線状電極２６に負の直流電圧が印加された電極２５，２６間に位置する電気泳動粒子１５は、分散媒１４を泳動して正の縦方向線状電極２５に集まり、縦方向線状電極２５に負、横方向線状電極２６に正の直流電圧が印加された電極２５，２６間に位置する電気泳動粒子１５は、分散媒１４を泳動して正の横方向線状電極２６に集まる。
【００３９】
表示側基板１８の外側からは、縦方向線状電極２５に電気泳動粒子１５が集まった領域（画素）で、電気泳動粒子１５の色（この実施の形態では白色）が見え、電気泳動粒子１５が集まっていない領域（画素）で、分散媒１４の色（この実施の形態では青色）が見える。これにより、表示側基板１８側に白色と青色の２色からなる画像が可視表示される。画像のメモリ性よりコネクタ１７，２２を外しても、図９に示すように、無電源で長時間表示側基板１８側に静止画像を表示し続けることができるので、複数の静止画像を比較する場合は、同一の駆動装置２Ｂを用いて記録体１Ｂだけを交換して複数の静止画像を次々と生成する。
【００４０】
上記構成の第２の実施の形態に係る表示装置１００Ｂによれば、第１の実施の形態に係る表示装置１００Ａと同様の効果を奏する。
すなわち、画像信号に応じたパターン状の電界を記録体１Ｂに印加することができ、１つの駆動装置２Ｂと複数の記録体１Ｂとからなる簡易かつ低価格な構成で、比較対象の複数の静止画像を生成することができる。
また、記録体１Ｂにマトリックス状の電極群や複数の縦方向あるいは横方向の線状電極を備えていないため、記録体１Ｂの構成が簡素で低価格となり、複数の静止画像を生成する上でより簡素で低価格なものとなる。
また、非表示側基板１２および表示側基板１８が分散系１６に接しているため、最小の印加電圧で分解能の高い画像の生成が可能となる。
また、分散系１６に電界を印加する電極の組合せを複数の縦方向線状電極２５と複数の横方向線状電極２６との組合せとしているので、マトリックス状の二次元駆動を行うことができ、記録体１Ｂに高速で画像を書き込むことが可能となる。
また、非表示側基板１２および表示側基板１８を基板と電極の両機能を備えた導電異方性を有する部材から構成しているので、構成の簡素化をより図ることができる。
【００４１】
図１０は本発明の第３の実施の形態に係る電気泳動表示装置の外観を示す斜視図である。
この表示装置１００Ｃは、第２の実施の形態に係る表示装置１００Ｂの駆動装置２Ｂの基板２０，２４をヒンジ２８により開閉可能に結合したものでり、電源回路２７は、一方の基板（ここでは基板２４）内部に設けている。
【００４２】
なお、本発明は、上記実施の形態に限定されず、種々な実施の形態が可能である。
例えば、上記第１の実施の形態において、記録体１Ａの非表示側基板１２、駆動装置２Ａの非表示側基板２０側を透明とし、これらを表示側としてもよい。この場合、表示側基板１１および面状電極１３は透明でなくてもよいが、透明とすることにより、表裏両側で画像を表示することができる。
また、上記第１の実施の形態において、面状電極１３を複数の縦方向あるいは横方向の線状電極とし、電極群２１を複数の横方向あるいは縦方向の線状電極としてもよく、面状電極１３をマトリックス状の電極群とし、電極群２１を面状電極としてもよい。この場合、表示側に配置される電極を透明電極にする。
また、上記第２の実施の形態では、複数の縦方向線状電極２５と複数の横方向線状電極２６の組合せを面状電極とマトリックス状の電極群との組合せとしてもよい。この場合、表示側に配置される電極を透明電極にする。
【００４３】
【発明の効果】
以上説明した通り、本発明によれば、電気泳動記録体を駆動装置から分離可能とすることにより、記録体を含む表示装置を複数用いなくても、１つの駆動装置と複数の記録体とからなる簡易かつ低価格な構成で、比較対象の複数の静止画像を生成することができる。同一あるいは異種の静止画像を表示した複数の記録体を得ることができるので、壁面上，ボード上等に並列配置することにより、プレゼンテーション，学会発表等の各種の表示にも使用することができる。
また、導電異方性および対向電極が分散系に接しているため、最小の印加電圧で分解能の高い画像の生成が可能となる。
また、分散系に電界を印加する電極の組合せを面状電極とマトリックス状の電極群との組合せ、または複数の縦方向あるいは横方向の線状電極と複数の横方向あるいは縦方向の線状電極との組合せとすることにより、マトリックス状の二次元駆動を行うことができ、記録体に高速で画像を書き込むことが可能となる。
【図面の簡単な説明】
【図１】本発明の第１の実施の形態に係る電気泳動記録体の構成を示す断面図
【図２】本発明に係る非表示側基板の要部正面図
【図３】本発明の第１の実施の形態に係る電気泳動表示装置の構成を示す断面図
【図４】第１の実施の形態に係る電気泳動記録体の表示状態を示す断面図
【図５】第１の実施の形態に係る電気泳動記録体の表示状態を示す断面図
【図６】本発明の第２の実施の形態に係る電気泳動記録体の構成を示す断面図
【図７】本発明の第２の実施の形態に係る電気泳動表示装置の構成を示す断面図
【図８】第２の実施の形態に係る電気泳動記録体の表示状態を示す断面図
【図９】第２の実施の形態に係る電気泳動記録体の表示状態を示す断面図
【図１０】本発明の第３の実施の形態に係る電気泳動表示装置の外観を示す斜視図
【符号の説明】
１Ａ，１Ｂ  電気泳動記録体
１０  スペーサ
１１，１８  電気泳動記録体の表示側基板
１１ａ  電気泳動記録体の表示側基板の内側の面
１２  電気泳動記録体の非表示側基板
１２ａ，１８ａ  フィルム
１２ｂ，１８ｂ  導電性粒子
１３  面状電極
１４  分散媒
１５  電気泳動粒子
１６  分散系
１７，２２  コネクタ
２０  駆動装置の非表示側基板
２０ａ  駆動装置の非表示側基板の表面
２１  マトリックス状の電極群
２１ａ  絶縁領域
２３，２７  電源回路
２３ａ，２７ａ，２７ｂ  リード
２４  駆動装置の表示側基板
２４ａ  駆動装置の表示側基板の表面
２５  縦方向線状電極
２６  横方向線状電極
２６ａ  絶縁領域
２８  ヒンジ
１００Ａ，１００Ｂ，１００Ｃ  電気泳動表示装置
Ｓ  画像信号
【図１】
0003700272.tif 000002
【図２】
0003700272.tif 000003
【図３】
0003700272.tif 000004
【図４】
0003700272.tif 000005
【図５】
0003700272.tif 000006
【図６】
0003700272.tif 000007
【図７】
0003700272.tif 000008
【図８】
0003700272.tif 000009
【図９】
0003700272.tif 000010
【図１０】
0003700272.tif 000011